(57)【要約】【課題】表示画面に表示された表示対象物の表示比率を変更した際に、表示対象物の表示領域の大きさを固定とした場合と比較して、表示対象物を視認し易くすることができる表示制御装置及び表示制御プログラムを提供する。【解決手段】表示対象物が表示される第１領域、及び表示対象物を編集するための編集操作子が表示される第２領域を表示する表示画面に表示された表示対象物の表示比率を変更する変更操作を受け付け、変更操作が受け付けられた場合、変更操作に応じて表示対象物の表示比率を変更すると共に、変更操作に応じて第１領域の大きさを変更する。【選択図】図１
2019040519.tif 000002
【特許請求の範囲】
【請求項１】
表示対象物が表示される第１領域、及び前記表示対象物を編集するための編集操作子が表示される第２領域を表示する表示画面に表示された前記表示対象物の表示比率を変更する変更操作を受け付ける受付手段と、
前記変更操作が受け付けられた場合、前記変更操作に応じて前記表示対象物の表示比率を変更する第１変更手段と、
前記変更操作が受け付けられた場合、前記変更操作に応じて前記第１領域の大きさを変更する第２変更手段と、
を備えた表示制御装置。
【請求項２】
前記表示画面には、前記表示対象物の表示比率を変更するための変更操作子が更に表示され、
前記第１変更手段は、前記変更操作子により前記変更操作が受け付けられた場合、前記変更操作に応じて前記表示対象物の表示比率を変更し、
前記第２変更手段は、前記変更操作子により前記変更操作が受け付けられた場合、前記変更操作に応じて前記第１領域の大きさを変更する
請求項１記載の表示制御装置。
【請求項３】
前記第２変更手段により前記第１領域が拡大された場合、前記拡大が終了した状態では前記変更操作子が非表示となるように制御する第１制御手段を更に備えた
請求項２記載の表示制御装置。
【請求項４】
前記受付手段は、前記変更操作子の少なくとも一部が前記表示対象物上に表示されている状態において、前記変更操作子を非表示とするための指示を受け付け、
前記変更操作子を前記非表示とするための指示が受け付けられた場合、前記変更操作子が非表示となるように制御する第２制御手段を更に備えた
請求項２又は３記載の表示制御装置。
【請求項５】
前記受付手段は、前記変更操作子が表示されていない状態において、前記変更操作子を表示させるための指示を受け付け、
前記受付手段により前記変更操作子を表示させるための指示が受け付けられた場合、前記変更操作子の少なくとも一部が前記表示対象物上に表示されるように制御する第３制御手段を更に備えた
請求項３又は４記載の表示制御装置。
【請求項６】
前記受付手段は、前記表示対象物を拡大する拡大操作を前記変更操作として受け付け、
前記第１変更手段は、前記拡大操作が受け付けられた場合、前記拡大操作に応じて前記表示対象物が拡大するように前記表示対象物の表示比率を変更し、
前記第２変更手段は、前記拡大操作が受け付けられた場合、前記拡大操作に応じて前記第１領域を拡大する
請求項１〜５の何れか1項記載の表示制御装置。
【請求項７】
前記受付手段は、拡大された前記表示対象物を縮小する縮小操作を前記変更操作として受け付け、
前記第１変更手段は、前記縮小操作が受け付けられた場合、前記縮小操作に応じて前記表示対象物が縮小されるように前記表示対象物の表示比率を変更し、
前記第２変更手段は、前記縮小操作が受け付けられた場合、前記縮小操作に応じて前記第１領域を縮小する
請求項１〜６の何れか１項記載の表示制御装置。
【請求項８】
前記第２変更手段は、前記第１変更手段により変更された前記表示対象物の表示比率に関連した大きさとなるように、前記第１領域の大きさを変更する
請求項１〜７の何れか１項記載の表示制御装置。
【請求項９】
前記第２変更手段は、前記第１変更手段により変更された前記表示対象物の表示比率が高くなる程、前記第１領域の大きさが大きくなるように、前記変更操作に応じて前記第１領域の大きさを変更する
請求項８記載の表示制御装置。
【請求項１０】
前記表示対象物の表示比率は、現在の前記表示対象物の表示比率から当該表示比率を高くした場合に、前記第１変更手段により変更された前記表示対象物の表示比率が高くなる程、前記第１領域の大きさが大きくなる区間と、前記第１領域の大きさが大きくならない区間と、を有する
請求項８記載の表示制御装置。
【請求項１１】
前記表示対象物の表示比率は、現在の前記表示対象物の表示比率から当該表示比率を高くした場合に、前記第１変更手段により変更された前記表示対象物の表示比率が高くなる程、前記第１領域の大きさが大きくなる区間と、前記第１領域が前記表示画面の全体となる区間と、を有する
請求項８記載の表示制御装置。
【請求項１２】
前記表示対象物の表示比率は、現在の前記表示対象物の表示比率から当該表示比率を高くした場合に、前記第１領域の大きさが大きくならない区間と、前記第１変更手段により変更された前記表示対象物の表示比率が高くなる程、前記第１領域の大きさが大きくなる区間と、前記第１領域が前記表示画面の全体となる区間と、を有する
請求項８記載の表示制御装置。
【請求項１３】
前記表示対象物の表示比率は、現在の前記表示対象物の表示比率から当該表示比率を低くした場合に、前記第１変更手段により変更された前記表示対象物の表示比率が低くなる程、前記第１領域の大きさが小さくなる区間と、前記第１領域の大きさが小さくならない区間と、を有する
請求項８〜１２の何れか１項記載の表示制御装置。
【請求項１４】
前記表示対象物の表示比率は、現在の前記表示対象物の表示比率から当該表示比率を低くした場合に、前記第１変更手段により変更された前記表示対象物の表示比率が低くなる程、前記第１領域の大きさが小さくなる区間と、前記第１領域が大きさの変更を行う前の大きさとなる区間と、を有する
請求項８〜１２の何れか１項記載の表示制御装置。
【請求項１５】
前記表示対象物の表示比率は、現在の前記表示対象物の表示比率から当該表示比率を低くした場合に、前記第１領域の大きさが小さくならない区間と、前記第１変更手段により変更された前記表示対象物の表示比率が低くなる程、前記第１領域の大きさが小さくなる区間と、前記第１領域が大きさの変更を行う前の大きさとなる区間と、を有する
請求項８〜１２記載の表示制御装置。
【請求項１６】
前記受付手段により前記変更操作が受け付けられた場合、前記第２領域を非表示とすると共に、前記第２領域が表示されていた領域に前記第１領域が表示されるように制御する第４制御手段を更に備えた
請求項１〜１５の何れか１項記載の表示制御装置。
【請求項１７】
前記表示対象物の表示比率は、現在の前記表示対象物の表示比率から当該表示比率を高くした場合に、前記第２領域を表示する区間と、前記第２領域を非表示とし、前記第２領域が表示されていた領域に前記第１領域が表示されるように制御する区間と、を有する
請求項１６記載の表示制御装置。
【請求項１８】
前記受付手段は、前記第２領域が表示されていない状態において、前記第２領域を表示させるための指示を受け付け、
前記第４制御手段は、前記受付手段により前記第２領域を表示させるための指示が受け付けられた場合、前記第２領域が表示されるように制御する
請求項１６又は１７記載の表示制御装置。
【請求項１９】
前記受付手段により前記変更操作が受け付けられた場合、前記第１領域が前記第２領域に重ねて表示されるように制御する第４制御手段を更に備えた
請求項１〜１５の何れか１項記載の表示制御装置。
【請求項２０】
前記受付手段は、拡大された前記表示対象物の表示比率を元の状態に戻すための指示を受け付け、
前記第１変更手段は、前記受付手段により前記元の状態に戻すための指示が受け付けられた場合、前記表示対象物の表示比率を元の状態に戻し、
前記第２変更手段は、前記受付手段により前記元の状態に戻すための指示が受け付けられた場合、前記第１領域の大きさを元の状態に戻す
請求項１〜１９の何れか１項記載の表示制御装置。
【請求項２１】
前記第１変更手段は、前記変更操作がされている間、前記変更操作に応じて前記表示対象物の表示比率を変更し、
前記第２変更手段は、前記変更操作がされている間、前記変更操作に応じて前記第１領域の大きさを変更する
請求項１〜２０の何れか１項記載の表示制御装置。
【請求項２２】
前記第１変更手段は、前記変更操作の入力が終了されたタイミングで、前記変更操作に応じて前記表示対象物の表示比率を変更し、
前記第２変更手段は、前記変更操作の入力が終了されたタイミングで、前記変更操作に応じて前記第１領域の大きさを変更する
請求項１〜２０の何れか１項記載の表示制御装置。
【請求項２３】
前記受付手段は、前記表示画面の第１位置における第１接触、及び前記第１位置とは異なる第２位置における第２接触が継続した状態で相互間の距離が変化する変更操作を受け付け、
前記第１変更手段は、前記変更操作が受け付けられた場合、前記相互間の距離が長くなる程、表示対象物の表示比率が高くなるように、前記表示対象物の表示比率を変更し、
前記第２変更手段は、前記変更操作が受け付けられた場合、前記相互間の距離が長くなる程、前記第１領域が大きくなるように、前記第１領域の大きさを変更する
請求項１〜２２の何れか１項記載の表示制御装置。
【請求項２４】
請求項１〜２３の何れか１項に記載の表示制御装置と、
表示対象物が表示されるための第１領域、及び前記表示対象物を操作するための第２領域を表示する表示画面を有する表示手段と、
を備えた表示装置。
【請求項２５】
コンピュータを、請求項１〜２３の何れか１項記載の表示制御装置の各手段として機能させるための表示制御プログラム。
【発明の詳細な説明】
【技術分野】
【０００１】
本発明は、表示制御装置、表示装置、及び表示制御プログラムに関する。
【背景技術】
【０００２】
特許文献１には、スキャン装置によるプレビュー画像の読み取りにより取得される表示画像の編集を行い、さらに該編集画像に基づく本スキャンを実行するスキャン装置における画像表示方法において、ユーザインタフェースにおけるプレビュー原稿読み取り用パラメータの設定およびプレスキャンの指示ステップと、前記設定されたプレビュー原稿読み取り用パラメータに基づいてプレスキャンパラメータを決定するプレスキャンパラメータ決定ステップと、前記プレスキャンパラメータ決定ステップにおいて決定されたプレスキャンパラメータに基づいてプレスキャンを実行するプレスキャンステップと、前記プレスキャンステップにおいて読み取られたプレビュー原稿画像をディスプレイに表示するプレビュー画像表示ステップと、前記表示ステップにおいて表示されたプレビュー画像に対する編集処理後、本スキャンパラメータの設定を行なう本スキャンパラメータ設定ステップと、前記本スキャンパラメータ設定ステップにおいて設定された本スキャンパラメータに基づいて本スキャンを実行する本スキャンステップとを有することを特徴とするプレビュー画像表示方法が開示されている。
【０００３】
特許文献２には、画像データを入力するための入力手段と、前記入力手段により入力された画像データからページ画像を生成するための生成手段と、前記ページ画像をページ単位で順に表示するための表示手段と、前記画像データをページ単位で編集指示するための編集指示手段と、を含む画像形成装置であって、前記編集指示は、前記画像データに基づいて記録媒体上に形成される画像の形態を変化させる第１の種類の編集指示と、前記画像データに基づいて画像が形成された記録媒体をページ単位で編集する第２の種類の編集指示とを含み、前記画像形成装置はさらに、前記編集指示手段により指示された編集指示が前記第１の種類の編集指示の場合には当該編集を前記表示手段上のページ画像には反映させず、前記編集指示手段により指示された編集指示が前記第２の種類の編集指示の場合には当該編集を前記表示手段上のページ画像に反映させるための手段を含む、画像形成装置が開示されている。
【先行技術文献】
【特許文献】
【０００４】
【特許文献１】特開２０００−３３２９６６号公報
【特許文献３】特開２０１２−０２８９５５号公報
【発明の概要】
【発明が解決しようとする課題】
【０００５】
本発明は、表示画面に表示された表示対象物の表示比率を変更した際に、表示対象物の表示領域の大きさを固定とした場合と比較して、表示対象物を視認し易くすることができる表示制御装置、表示装置、及び表示制御プログラムを提供することを目的とする。
【課題を解決するための手段】
【０００６】
上記目的を達成するために、請求項１に記載の表示制御装置は、表示対象物が表示される第１領域、及び前記表示対象物を編集するための編集操作子が表示される第２領域を表示する表示画面に表示された前記表示対象物の表示比率を変更する変更操作を受け付ける受付手段と、前記変更操作が受け付けられた場合、前記変更操作に応じて前記表示対象物の表示比率を変更する第１変更手段と、前記変更操作が受け付けられた場合、前記変更操作に応じて前記第１領域の大きさを変更する第２変更手段と、を備える。
【０００７】
また、請求項２に記載の発明は、請求項１に記載の発明において、前記表示画面には、前記表示対象物の表示比率を変更するための変更操作子が更に表示され、前記第１変更手段は、前記変更操作子により前記変更操作が受け付けられた場合、前記変更操作に応じて前記表示対象物の表示比率を変更し、前記第２変更手段は、前記変更操作子により前記変更操作が受け付けられた場合、前記変更操作に応じて前記第１領域の大きさを変更する。
【０００８】
また、請求項３に記載の発明は、請求項２に記載の発明において、前記第２変更手段により前記第１領域が拡大された場合、前記拡大が終了した状態では前記変更操作子が非表示となるように制御する第１制御手段を更に備える。
【０００９】
また、請求項４に記載の発明は、請求項２又は３記載の発明において、前記受付手段は、前記変更操作子を非表示とするための指示を受け付け、前記変更操作子の少なくとも一部が前記表示対象物上に表示されている状態において、前記変更操作子を前記非表示とするための指示が受け付けられた場合、前記変更操作子が非表示となるように制御する第２制御手段を更に備える。
【００１０】
また、請求項５に記載の発明は、請求項３又は４記載の発明において、前記受付手段は、前記変更操作子が表示されていない状態において、前記変更操作子を表示させるための指示を受け付け、前記受付手段により前記変更操作子を表示させるための指示が受け付けられた場合、前記変更操作子の少なくとも一部が前記表示対象物上に表示されるように制御する第３制御手段を更に備える。
【００１１】
また、請求項６に記載の発明は、請求項１〜５の何れか１項記載の発明において、前記受付手段は、前記表示対象物を拡大する拡大操作を前記変更操作として受け付け、前記第１変更手段は、前記拡大操作が受け付けられた場合、前記拡大操作に応じて前記表示対象物が拡大するように前記表示対象物の表示比率を変更し、前記第２変更手段は、前記拡大操作が受け付けられた場合、前記拡大操作に応じて前記第１領域を拡大する。
【００１２】
また、請求項７に記載の発明は、請求項１〜６の何れか１項記載の発明において、前記受付手段は、拡大された前記表示対象物を縮小する縮小操作を前記変更操作として受け付け、前記第１変更手段は、前記縮小操作が受け付けられた場合、前記縮小操作に応じて前記表示対象物が縮小されるように前記表示対象物の表示比率を変更し、前記第２変更手段は、前記縮小操作が受け付けられた場合、前記縮小操作に応じて前記第１領域を縮小する。
【００１３】
また、請求項８に記載の発明は、請求項１〜７の何れか１項記載の発明において、前記第２変更手段は、前記第１変更手段により変更された前記表示対象物の表示比率に関連した大きさとなるように、前記第１領域の大きさを変更する。
【００１４】
また、請求項９に記載の発明は、請求項８記載の発明において、前記第２変更手段は、前記第１変更手段により変更された前記表示対象物の表示比率が高くなる程、前記第１領域の大きさが大きくなるように、前記変更操作に応じて前記第１領域の大きさを変更する。
【００１５】
また、請求項１０に記載の発明は、請求項８記載の発明において、前記表示対象物の表示比率は、現在の前記表示対象物の表示比率から当該表示比率を高くした場合に、前記第１変更手段により変更された前記表示対象物の表示比率が高くなる程、前記第１領域の大きさが大きくなる区間と、前記第１領域の大きさが大きくならない区間と、を有する。
【００１６】
また、請求項１１に記載の発明は、請求項８記載の発明において、前記表示対象物の表示比率は、現在の前記表示対象物の表示比率から当該表示比率を高くした場合に、前記第１変更手段により変更された前記表示対象物の表示比率が高くなる程、前記第１領域の大きさが大きくなる区間と、前記第１領域が前記表示画面の全体となる区間と、を有する。
【００１７】
また、請求項１２に記載の発明は、請求項８記載の発明において、前記表示対象物の表示比率は、現在の前記表示対象物の表示比率から当該表示比率を高くした場合に、前記第１領域の大きさが大きくならない区間と、前記第１変更手段により変更された前記表示対象物の表示比率が高くなる程、前記第１領域の大きさが大きくなる区間と、前記第１領域が前記表示画面の全体となる区間と、を有する。
【００１８】
また、請求項１３に記載の発明は、請求項８〜１２の何れか１項記載の発明において、前記表示対象物の表示比率は、現在の前記表示対象物の表示比率から当該表示比率を低くした場合に、前記第１変更手段により変更された前記表示対象物の表示比率が低くなる程、前記第１領域の大きさが小さくなる区間と、前記第１領域の大きさが小さくならない区間と、を有する。
【００１９】
また、請求項１４に記載の発明は、請求項８〜１２の何れか１項記載の発明において、前記表示対象物の表示比率は、現在の前記表示対象物の表示比率から当該表示比率を低くした場合に、前記第１変更手段により変更された前記表示対象物の表示比率が低くなる程、前記第１領域の大きさが小さくなる区間と、前記第１領域が大きさの変更を行う前の大きさとなる区間と、を有する。
【００２０】
また、請求項１５に記載の発明は、請求項８〜１２の何れか１項記載の発明において、前記表示対象物の表示比率は、現在の前記表示対象物の表示比率から当該表示比率を低くした場合に、前記第１領域の大きさが小さくならない区間と、前記第１変更手段により変更された前記表示対象物の表示比率が低くなる程、前記第１領域の大きさが小さくなる区間と、前記第１領域が大きさの変更を行う前の大きさとなる区間と、を有する。
【００２１】
また、請求項１６に記載の発明は、請求項１〜１５の何れか１項記載の発明において、前記受付手段により前記変更操作が受け付けられた場合、前記第２領域を非表示とすると共に、前記第２領域が表示されていた領域に前記第１領域が表示されるように制御する第４制御手段を更に備える。
【００２２】
また、請求項１７に記載の発明は、請求項１６記載の発明において、前記表示対象物の表示比率は、現在の前記表示対象物の表示比率から当該表示比率を高くした場合に、前記第２領域を表示する区間と、前記第２領域を非表示とし、前記第２領域が表示されていた領域に前記第１領域が表示されるように制御する区間と、を有する。
【００２３】
また、請求項１８に記載の発明は、請求項１６又は１７記載の発明において、前記受付手段は、前記第２領域が表示されていない状態において、前記第２領域を表示させるための指示を受け付け、前記第４制御手段は、前記受付手段により前記第２領域を表示させるための指示が受け付けられた場合、前記第２領域が表示されるように制御する。
【００２４】
また、請求項１９に記載の発明は、請求項１〜１５の何れか１項記載の発明において、前記受付手段により前記変更操作が受け付けられた場合、前記第１領域が前記第２領域に重ねて表示されるように制御する第４制御手段を更に備える。
【００２５】
また、請求項２０に記載の発明は、請求項１〜１９の何れか１項記載の発明において、前記受付手段は、拡大された前記表示対象物の表示比率を元の状態に戻すための指示を受け付け、前記第１変更手段は、前記受付手段により前記元の状態に戻すための指示が受け付けられた場合、前記表示対象物の表示比率を元の状態に戻し、前記第２変更手段は、前記受付手段により前記元の状態に戻すための指示が受け付けられた場合、前記第１領域の大きさを元の状態に戻す。
【００２６】
また、請求項２１に記載の発明は、請求項１〜２０の何れか１項記載の発明において、前記第１変更手段は、前記変更操作がされている間、前記変更操作に応じて前記表示対象物の表示比率を変更し、前記第２変更手段は、前記変更操作がされている間、前記変更操作に応じて前記第１領域の大きさを変更する。
【００２７】
また、請求項２２に記載の発明は、請求項１〜２０の何れか１項記載の発明において、前記第１変更手段は、前記変更操作の入力が終了されたタイミングで、前記変更操作に応じて前記表示対象物の表示比率を変更し、前記第２変更手段は、前記変更操作の入力が終了されたタイミングで、前記変更操作に応じて前記第１領域の大きさを変更する。
【００２８】
また、請求項２３に記載の発明は、請求項１〜２２の何れか１項記載の発明において、前記受付手段は、前記表示画面の第１位置における第１接触、及び前記第１位置とは異なる第２位置における第２接触が継続した状態で相互間の距離が変化する変更操作を受け付け、前記第１変更手段は、前記変更操作が受け付けられた場合、前記相互間の距離が長くなる程、表示対象物の表示比率が高くなるように、前記表示対象物の表示比率を変更し、前記第２変更手段は、前記変更操作が受け付けられた場合、前記相互間の距離が長くなる程、前記第１領域が大きくなるように、前記第１領域の大きさを変更する。
【００２９】
一方、上記目的を達成するために、請求項２４に記載の表示装置は、請求項１〜２３の何れか１項に記載の表示制御装置と、表示対象物が表示されるための第１領域、及び前記表示対象物を操作するための第２領域を表示する表示画面を有する表示手段と、を備える。
【００３０】
一方、上記目的を達成するために、請求項２５に記載の表示制御プログラムは、コンピュータを、請求項１〜２３の何れか１項記載の表示制御装置を構成する各手段として機能させるためのプログラムである。
【発明の効果】
【００３１】
請求項１、２４、２５に記載の発明によれば、表示画面に表示された表示対象物の表示比率を変更した際に、表示対象物の表示領域の大きさを固定とした場合と比較して、表示対象物を視認し易くすることができる。
【００３２】
請求項２に記載の発明によれば、表示対象物の表示比率を変更するための変更操作子を用いずに、表示対象物の表示比率を変更する変更操作を受け付ける場合と比較して、表示対象物の表示比率を変更する変更操作を精度良く行うことができる。
【００３３】
請求項３に記載の発明によれば、表示対象物の拡大が終了した際に、表示対象物の表示比率を変更するための変更操作子の表示を維持する場合と比較して、拡大された表示対象物を視認し易くすることができる。
【００３４】
請求項４に記載の発明によれば、表示対象物の表示比率を変更するための変更操作子の表示及び非表示を変更できない場合と比較して、拡大された表示対象物の視認性を向上させることができる。
【００３５】
請求項５に記載の発明によれば、表示対象物の表示比率を変更するための変更操作子の表示及び非表示を変更できない場合と比較して、拡大された表示対象物に対する変更操作をユーザ所望のタイミングで行うことができる。
【００３６】
請求項６に記載の発明によれば、表示画面に表示された表示対象物の表示比率を高くした際に、表示対象物の表示領域の大きさを固定とした場合と比較して、表示対象物を視認し易くすることができる。
【００３７】
請求項７に記載の発明によれば、表示画面に表示され、拡大された表示対象物の表示比率を低くした際に、表示対象物の表示領域の大きさを固定とした場合と比較して、表示対象物を視認し易くすることができる。
【００３８】
請求項８に記載の発明によれば、表示対象物の表示比率に関係なく、表示対象物が表示される第１領域の大きさを変更した場合と比較して、表示対象物の表示比率に関係なく表示対象物を視認し易くすることができる。
【００３９】
請求項９に記載の発明によれば、表示対象物の表示比率を高くしても、表示対象物が表示される第１領域の大きさを大きくしない場合と比較して、拡大された表示対象物を視認し易くすることができる。
【００４０】
請求項１０に記載の発明によれば、表示対象物の表示比率を高くした際に、表示対象物の表示比率に関係なく、表示対象物が表示される第１領域の大きさを表示対象物の表示比率に対応させて大きくする場合と比較して、表示対象物の表示比率に関係なく表示対象物を視認し易くすることができる。
【００４１】
請求項１１に記載の発明によれば、表示対象物の表示比率を高くした際に、表示対象物の表示比率に関係なく、表示対象物が表示される第１領域の大きさを表示対象物の表示比率に対応させて大きくする場合と比較して、拡大された表示対象物を視認し易くすることができる。
【００４２】
請求項１２に記載の発明によれば、表示対象物の表示比率を高くした際に、表示対象物の表示比率に関係なく、表示対象物が表示される第１領域の大きさを表示対象物の表示比率に対応させて大きくする場合と比較して、表示対象物の表示比率に関係なく表示対象物を視認し易くすることができる。
【００４３】
請求項１３に記載の発明によれば、表示対象物の表示比率を低くした際に、表示対象物の表示比率に関係なく、表示対象物が表示される第１領域の大きさを表示対象物の表示比率に対応させて小さくする場合と比較して、表示対象物の表示比率に関係なく表示対象物を視認し易くすることができる。
【００４４】
請求項１４に記載の発明によれば、表示対象物の表示比率を低くした際に、表示対象物の表示比率に関係なく、表示対象物が表示される第１領域の大きさを表示対象物の表示比率に対応させて大きくする場合と比較して、拡大された後に縮小された表示対象物を視認し易くすることができる。
【００４５】
請求項１５に記載の発明によれば、表示対象物の表示比率を低くした際に、表示対象物の表示比率に関係なく、表示対象物が表示される第１領域の大きさを表示対象物の表示比率に対応させて小さくする場合と比較して、表示対象物の表示比率に関係なく表示対象物を視認し易くすることができる。
【００４６】
請求項１６に記載の発明によれば、表示対象物の表示比率を変更する際に、表示対象物を編集するための編集操作子が表示される第２領域を表示させておく場合と比較して、表示対象物を視認し易くすることができる。
【００４７】
請求項１７に記載の発明によれば、表示対象物の表示比率を変更する際に、表示対象物の表示比率に関係なく、表示対象物を編集するための編集操作子が表示される第２領域を非表示とする場合と比較して、第２領域の表示及び非表示を切り替えるための不要な処理が行われることを回避することができる。
【００４８】
請求項１８に記載の発明によれば、表示対象物の表示比率を変更する際に、表示対象物を編集するための編集操作子が表示される第２領域の表示及び非表示を変更できない場合と比較して、拡大された表示対象物の編集を容易に行うことができる。
【００４９】
請求項１９に記載の発明によれば、表示対象物の表示比率を変更する際に、表示対象物を編集するための編集操作子が表示される第２領域を非表示とする場合と比較して、第２領域に関する処理を軽減させることができる。
【００５０】
請求項２０に記載の発明によれば、拡大された表示対象物の表示比率を元の状態に戻すための指示を受け付けない場合と比較して、表示対象物の表示比率に関係なく、表示対象物の表示比率を簡単な操作で元の状態に戻すことができる。
【００５１】
請求項２１に記載の発明によれば、表示対象物の表示比率を変更する変更操作が終了したタイミングで、表示対象物の表示比率を変更する場合と比較して、表示対象物の表示比率の変化を視認しつつ、変更操作を行うことができる。
【００５２】
請求項２２に記載の発明によれば、表示対象物の表示比率を変更する変更操作がされている間、表示対象物の表示比率を変更する場合と比較して、表示対象物の表示を更新するための処理を軽減させることができる。
【００５３】
請求項２３に記載の発明によれば、変更操作子を用いて表示対象物の表示比率を変更する場合と比較して、直観的に表示対象物の表示比率を変更することができる。
【図面の簡単な説明】
【００５４】
【図１】実施形態に係る表示制御装置の機能を示すブロック図である。
【図２】第１実施形態に係る表示画面の一例を示す模式図である。
【図３】実施形態に係る拡大制御情報の一例を示す模式図である。
【図４】実施形態に係る縮小制御情報の一例を示す模式図である。
【図５】第１実施形態に係る表示制御処理のプログラムの流れを示すフローチャートである。
【図６】第１実施形態に係る表示画面の一例を示す模式図である。
【図７】第１実施形態に係る表示画面の一例を示す模式図である。
【図８】第１実施形態に係る表示画面の一例を示す模式図である。
【図９】第２実施形態に係る表示制御処理のプログラムの流れを示すフローチャートである。
【図１０】第２実施形態に係る表示画面の一例を示す模式図である。
【図１１】第２実施形態に係る表示画面の一例を示す模式図である。
【図１２】第３実施形態に係る表示制御処理のプログラムの流れを示すフローチャートである。
【図１３】第３実施形態に係る表示画面の一例を示す模式図である。
【図１４】第４実施形態に係る表示制御処理のプログラムの流れを示すフローチャートである。
【図１５】第５実施形態に係る表示制御処理のプログラムの流れを示すフローチャートである。
【発明を実施するための形態】
【００５５】
以下、添付図面を参照して、本発明の実施形態について詳細に説明する。
【００５６】
〔第１実施形態〕
【００５７】
本実施形態に係る表示制御装置の機能について説明する。図１は、本実施形態に係る表示制御装置１０の機能を示すブロック図である。図１に示すように、表示制御装置１０は、機能的には、受付部１２、第１変更部１４、第２変更部１６、及び、制御部１８を有している。なお、受付部１２は受付手段の一例であり、第１変更部１４は第１変更手段の一例であり、第２変更部１６は第２変更手段の一例であり、制御部１８は第１制御手段、第２制御手段、第３制御手段、及び第４制御手段の一例である。
【００５８】
受付部１２は、表示対象物が表示される第１領域、及び表示対象物を編集するための編集操作子が表示される第２領域を表示する表示画面に表示された表示対象物の表示比率を変更する変更操作を受け付ける。
【００５９】
ここでいう表示対象物は、表示装置に、表示比率を変更可能に表示される対象物である。表示対象物としては、例えば、静止画像、動画像、アプリケーションプログラムの実行画面、メニュー画面、ファイル一覧画面等が挙げられる。
【００６０】
ここでいう編集操作子は、表示対象物に対して編集を行うための操作子である。編集操作子としては、例えば、表示対象物に文字列を書き込むテキストボタン、表示対象物の一部を削除する削除ボタン、表示対象物を回転させる回転ボタン、表示対象物の一部を切り出すトリミングボタン、表示対象物の一部を選択する選択ボタン、表示対象物の一部をコピーするコピーボタン等が挙げられる。本実施形態では、これらのボタンをまとめて編集ボタンという。
【００６１】
ここでいう変更操作子は、表示対象物の変更比率を変更するための操作子である。変更操作子としては、例えば、スライダーバー、プラス（拡大）ボタン及びマイナス（縮小）ボタン、複数の選択ボタンの各々に予め表示比率が設定された選択ボタン群、ユーザにより表示比率が入力される入力欄等が挙げられる。
【００６２】
なお、本実施形態では、変更操作子は編集操作子には含まれないものとする。
【００６３】
一例として図２に示すように、表示制御装置１０の表示画面２０は、表示対象物２２を表示するための第１領域２４、及び、編集操作子を表示するための第２領域２６を有している。第１領域２４には、表示対象物２２が表示されている。また、第２領域２６には、編集操作子の一例である複数の編集ボタン２８が表示されている。
【００６４】
また、本実施形態では、表示画面２０に変更操作子としてスライダーバー３０が表示される場合について説明する。スライダーバー３０は、つまみ３０Ａと、Ｙ方向に延びたバー３０Ｂを有している。つまみ３０Ａは、バー３０Ｂに沿って、Ｙ方向のプラス方向（図２の上方向）及びマイナス方向（図２の下方向）に移動する。なお、本実施形態では、表示画面２０の第１領域２４でもなく第２領域２６でもない領域にスライダーバー３０が表示される場合について説明するが、これに限らず、スライダーバー３０は第１領域２４内又は第２領域２６内に表示されても良い。
【００６５】
なお、各図において、表示対象物２２の外枠と第１領域２４の外枠とが相互に重ならないよう、表示対象物２２の外枠と第１領域２４の外枠とをずらして示しているが、第１領域２４の全体に表示対象物２２が表示されても良い。
【００６６】
第１変更部１４は、スライダーバー３０が操作されることにより、変更操作が受け付けられた場合、変更操作に応じて、表示画面２０に表示されている表示対象物２２の表示比率を変更する。
【００６７】
第２変更部１６は、スライダーバー３０が操作されることにより、変更操作が受け付けられた場合、変更操作に応じて、表示画面２０の第１領域２４の大きさを、表示対象物２２の表示比率に関連した大きさとなるように変更する。
【００６８】
制御部１８は、第２変更部１６により第１領域２４が拡大され、表示対象物２２の表示比率が予め定めた条件を満たした場合、拡大が終了した状態ではスライダーバー３０が非表示となっているように制御する。なお、予め定めた条件は、例えば、表示対象物２２の表示比率が予め定めた閾値（例えば、１８０％）以上となること、第１領域２４が表示画面２０の全体の大きさになること等である。
【００６９】
なお、本実施形態に係る表示制御装置１０は、ハードウェア構成としては、装置全体の動作を司るＣＰＵ（Central Processing Unit）により制御されることにより実現される。すなわち、表示制御装置１０は、上記ＣＰＵ、各種プログラムや各種パラメータ等が予め記憶されたＲＯＭ（Read Only Memory）、ＣＰＵによる各種プログラムの実行時のワークエリア等として用いられるＲＡＭ（Random Access Memory）、及びフラッシュメモリ等の不揮発性メモリを含む記憶部を備える。
【００７０】
また、表示制御装置１０は、外部装置と通信情報の送受信を行う通信回線Ｉ／Ｆ（Interface）部を備える。また、表示制御装置１０は、表示制御装置１０に対するユーザからの指示を受け付けると共に、ユーザに対して表示制御装置１０の動作状況等に関する各種情報を通知する操作表示部を備える。
【００７１】
なお、操作表示部は、例えば、データを表示するディスプレイ、データを入力するキーボード、マウス等を含む。また、表示操作部はこれに限らず、例えば、プログラムの実行により操作指示の受け付けを実現する表示ボタンや各種情報が表示されるタッチパネル式のディスプレイ、及びテンキーやスタートボタン等のハードウェアキーを含んでいても良い。本実施形態では、表示制御装置１０が、表示画面２０としてタッチパネル式のディスプレイを有している場合について説明する。
【００７２】
また、記憶部には、第１領域２４の拡大を制御するための拡大制御情報３２、及び、第１領域２４の縮小を制御するための縮小制御情報３４が記憶されている。
【００７３】
拡大制御情報３２は、一例として図３に示すように、表示対象物２２の表示比率と第１領域２４の大きさとが対応付けられた情報である。図３に示す例では、表示対象物２２の表示比率の「１００％〜１５０％」の区間に対して、第１領域２４の大きさとして「変更なし」が対応付けられている。また、表示対象物２２の表示比率の「１５０％〜１８０％」の区間に対して、第１領域２４の大きさとして「段階的に拡大」が対応付けられている。また、表示対象物２２の表示比率の「１８０％〜」の区間に対して、第１領域２４の大きさとして「最大値」が対応付けられている。
【００７４】
拡大制御情報３２によると、表示対象物２２の表示比率が１００％以上１５０％未満の範囲内である場合には、第１領域２４の大きさは変更されない。また、表示対象物２２の表示比率が１５０％以上１８０％未満の範囲内である場合には、第１領域２４の大きさは段階的に拡大される。第１領域２４の大きさを段階的に拡大する方法としては、例えば、表示対象物２２の表示比率と第１領域２４の大きさとの関係を示す比例式等の数式に基づいて、第１領域２４の大きさを拡大する方法等が挙げられる。また、表示対象物２２の表示比率が１８０％以上の範囲内である場合には、第１領域２４の大きさが最大値に変更される。すなわち、第１領域２４の大きさが表示画面２０の全体の大きさに変更される。
【００７５】
本実施形態では、拡大制御情報３２によって、表示対象物２２の表示比率が、第１領域２４の大きさが段階的に変化する区間、第１領域２４の大きさが大きくならない区間、及び第１領域２４の大きさが表示画面２０の全体となる区間を有する場合について説明した。しかし、これに限らない。例えば、拡大制御情報３２によって、表示対象物２２の表示比率が、第１領域２４の大きさが段階的に変化する区間、及び第１領域２４の大きさが大きくならない区間を有するようにしても良い。又は、拡大制御情報３２によって、表示対象物２２の表示比率が、第１領域２４の大きさが大きくならない区間、及び第１領域２４の大きさが段階的に変化する区間を有するようにしても良い。あるいは、ユーザが拡大制御情報３２を編集することにより、表示対象物２２の表示比率の各々の区間、及び第１領域２４の大きさを設定するようにしても良い。
【００７６】
また、縮小制御情報３４は、一例として図４に示すように、表示対象物２２の表示比率と第１領域２４の大きさとが対応付けられた情報である。図４に示す例では、表示対象物２２の表示比率の「１８０％〜」の区間に対して、第１領域２４の大きさとして「変更なし」が対応付けられている。また、表示対象物２２の表示比率の「１８０％〜１５０％」の区間に対して、第１領域２４の大きさとして「段階的に縮小」が対応付けられている。また、表示対象物２２の表示比率の「１５０％〜」の区間に対して、第１領域２４の大きさとして「元の大きさ」が対応付けられている。
【００７７】
縮小制御情報３４によると、表示対象物２２の表示比率が１８０％以上の範囲内である場合には、第１領域２４の大きさは変更されない。また、表示対象物２２の表示比率が１８０％未満１５０％以上の範囲内である場合には、第１領域２４の大きさは段階的に縮小される。第１領域２４の大きさを段階的に縮小する方法としては、例えば、表示対象物２２の表示比率と第１領域２４の大きさとの関係を示す比例式等の数式に基づいて、第１領域２４の大きさを縮小する方法等が挙げられる。また、表示対象物２２の表示比率が１５０％未満の範囲内である場合には、第１領域２４の大きさが元の大きさ、すなわち第１領域２４の拡大を行う前の状態に変更される。
【００７８】
本実施形態では、縮小制御情報３４によって、表示対象物２２の表示比率が、第１領域２４の大きさが段階的に変化する区間、第１領域２４の大きさが小さくならない区間、及び第１領域２４の大きさが表示画面２０の元の大きさとなる区間を有する場合について説明した。しかし、これに限らない。例えば、縮小制御情報３４によって、表示対象物２２の表示比率が、第１領域２４の大きさが段階的に変化する区間、及び第１領域２４の大きさが小さくならない区間を有するようにしても良い。又は、縮小制御情報３４によって、表示対象物２２の表示比率が、第１領域２４の大きさが小さくならない区間、及び第１領域２４の大きさが段階的に変化する区間を有するようにしても良い。あるいは、ユーザが縮小制御情報３４を編集することにより、表示対象物２２の表示比率の各々の区間、及び第１領域２４の大きさを設定するようにしても良い。
【００７９】
なお、本実施形態では、表示対象物２２を縮小する場合、拡大された表示対象物２２に対して縮小することを前提としているため、縮小制御情報３４において、表示対象物２２の表示比率を１００％以上としている。しかし、表示対象物２２の表示比率が１００％未満となっても構わない。
【００８０】
次に、本実施形態に係る表示制御装置１０が、表示対象物２２の表示の指示が入力された場合に実行する表示制御処理の流れを、図５のフローチャートを参照して説明する。なお、本実施形態では、表示制御処理のプログラムは予め記憶部に記憶されているが、これに限らない。例えば、表示制御処理のプログラムが通信回線Ｉ／Ｆ部を介して外部装置から受信されて記憶部に記憶されても良い。また、ＣＤ−ＲＯＭ等の記録媒体に記録された表示制御処理のプログラムがＣＤ−ＲＯＭドライブ等で読み込まれることにより、表示制御処理が実行されるようにしてもよい。
【００８１】
ステップＳ１０１では、受付部１２が、表示対象物２２を表示画面２０に表示させる。一例として図２に示すように、受付部１２は、第１領域２４に表示対象物２２を表示させると共に、第２領域２４に編集操作子として編集ボタン２８を表示させる。また、受付部１２は、表示画面２０に変更操作子としてスライダーバー３０を表示させる。
【００８２】
ステップＳ１０３では、受付部１２が、表示対象物２２への何れかの操作入力が受け付けられたか否かを判定する。本実施形態では、表示画面２０への接触が開始された場合に、表示対象物２２への何れかの操作入力が受け付けられたと判定する。ステップＳ１０３で操作入力が受け付けられたと判定した場合（Ｓ１０３，Ｙ）はステップＳ１０５に移行する。また、ステップＳ１０３で操作入力が受け付けられていないと判定した場合（Ｓ１０３，Ｎ）はステップＳ１３５に移行する。
【００８３】
ステップＳ１０５では、受付部１２が、受け付けられた操作入力が、変更操作子に対する操作入力であるか否かを判定する。本実施形態では、受け付けられた操作入力が、表示画面２０におけるスライダーバー３０に対応する領域への接触であった場合に、受け付けられた操作入力が変更操作に対する操作入力であると判定する。ステップＳ１０５で、受け付けられた操作入力が変更操作子に対する操作入力であると判定した場合（Ｓ１０５，Ｙ）はステップＳ１０７に移行する。また、ステップＳ１０５で受け付けられた操作入力が変更操作子に対する操作入力ではないと判定した場合（Ｓ１０５，Ｎ）はステップＳ１３３に移行する。
【００８４】
ステップＳ１０７では、受付部１２が、受け付けられた操作入力が表示対象物２２の表示比率を高くするように指示する操作（拡大操作）であるか否かを判定する。本実施形態では、スライダーバー３０のつまみ３０Ａがプラス方向に移動された場合、受け付けられた操作入力が表示対象物２２の拡大操作であると判定する。ステップＳ１０７で受け付けられた操作入力が表示対象物２２の拡大操作であると判定した場合（Ｓ１０７，Ｙ）はステップＳ１０９に移行する。また、ステップＳ１０７で受け付けられた操作入力が表示対象物２２の拡大操作ではなく、表示対象物２２の表示比率を低くするように指示する操作（縮小操作）であると判定した場合（Ｓ１０７，Ｎ）はステップＳ１２５に移行する。
【００８５】
ステップＳ１０９では、第１変更部１４が、受け付けられた操作入力に応じて表示対象物２２が拡大された場合の表示対象物２２の表示比率を取得する。本実施形態では、スライダーバー３０のつまみ３０Ａの移動量に応じた表示対象物２２の表示比率を取得する。
【００８６】
ステップＳ１１１では、第２変更部１６が、表示対象物の拡大制御情報３２に基づいて、表示対象物２２の表示比率に対応する第１領域２４の大きさを取得する。例えば、表示対象物２２の表示比率が１２０％であった場合には、第１領域２４の大きさを変更しない。また、表示対象物２２の表示比率が１６０％であった場合には、第１領域２４の大きさを表示対象物２２の表示比率に応じて変更する。また、表示対象物２２の表示比率が１９０％であった場合には、第１領域２４の大きさを表示画面２０の全体の大きさとする。
【００８７】
ステップＳ１１３では、第２変更部１６が、第１領域２４がステップＳ１１１で取得した大きさとなると共に、表示対象物２２が、ステップＳ１０９で取得した表示比率で表示されるように、表示対象物２２の表示を更新する。この際、第２変更部１６は、一例として図６に示すように、第１領域２４と第２領域２６との少なくとも一部が重なる場合には、第１領域２４が第２領域２６に重ねて表示されるように、表示対象物２２の表示を更新する。
【００８８】
また、本実施形態では、表示対象物２２の表示比率を変更する際の基準点を、表示対象物２２の中心又は重心とする。しかし、表示対象物２２の表示比率を変更する際の基準点はこれに限らず、ユーザにより指定された位置を基準点としても良く、当該基準点を示す情報を予め記憶部に記憶させておいても良い。
【００８９】
ステップＳ１１５では、制御部１８が、受け付けられた操作入力が終了したか否かを判定する。本実施形態では、表示画面２０におけるスライダーバー３０に対応する領域への接触が解除された場合に、受け付けられた操作入力が終了したと判定する。ステップＳ１１５で操作入力が終了したと判定した場合（Ｓ１１５，Ｙ）はステップＳ１１７に移行する。また、ステップＳ１１５で操作入力が終了していないと判定した場合（Ｓ１１５，Ｎ）はステップＳ１０７に移行する。
【００９０】
ステップＳ１１７では、制御部１８が、更新された表示対象物２２の表示比率が予め定めた閾値（例えば、１８０％）以上であるか否かを判定する。ステップＳ１１７で表示対象物２２の表示比率が予め定めた閾値以上であると判定された場合（Ｓ１１７，Ｙ）はステップＳ１１９に移行する。また、ステップＳ１１７で表示対象物２２の表示比率が予め定めた閾値未満であると判定された場合（Ｓ１１７，Ｎ）はステップＳ１３５に移行する。
【００９１】
ステップＳ１１９では、制御部１８が、表示画面２０に表示されている変更操作子を非表示とする。本実施形態では、一例として図７に示すように、表示画面２０に表示されているスライダーバー３０を非表示とする。
【００９２】
なお、本実施形態では、ステップＳ１１７で、更新された表示対象物２２の表示比率が予め定めた閾値以上であるか否かの判定を行うが、これに限らない。例えば、第１領域２４の大きさが表示画面２０の全体の大きさであるか否かの判定、第１領域２４の大きさが閾値以上であるか否かの判定等を行っても良い。
【００９３】
あるいは、ステップＳ１１７の処理を行わずに、表示対象物２２を拡大する場合には、必ずステップＳ１１９の処理を行うようにしても良い。
【００９４】
又は、ステップＳ１１７で、変更操作子が表示画面２０に表示されていて、かつ変更操作子の少なくとも一部が表示対象物２２上に表示されている状態である場合には、当該ステップで肯定判定となり、当変更操作子が表示画面２０に表示されていて、かつ変更操作子と表示対象物２２とが重なっていない状態である場合には、当該ステップで否定判定となるようにしても良い。
【００９５】
さらには、ステップＳ１１７で、変更操作子を非表示とするための指示が受け付けられたか否かを判定しても良い。この場合には、例えば予め定めた期間（例えば、５秒）以内に変更操作子を非表示とするための指示が受け付けられた場合には、当該ステップで肯定判定となり、受け付けられなかった場合には、当該ステップで否定判定となると良い。
【００９６】
ステップＳ１２１では、制御部１８が、ステップＳ１１９で非表示とされた変更操作子の表示の指示を入力したか否かを判定する。変更操作子の表示の指示としては、例えば、表示画面２０の任意の位置を２回接触する操作、表示画面２０の任意の位置の接触を閾値（例えば、３秒）以上の間、継続する操作、表示画面２０上において予め定めた形状（例えば、円形、三角形等）を描く操作等が挙げられる。あるいは、変更操作子の表示の指示は、ハードウェアキーを用いた予め定めた操作入力であっても良い。
【００９７】
ステップＳ１２１で変更操作子の表示の指示を入力したと判定した場合（Ｓ１２１，Ｙ）はステップＳ１２３に移行する。また、ステップＳ１２１で変更操作子の表示の指示を入力していないと判定した場合（Ｓ１２１，Ｎ）は、変更操作子の表示の指示が入力されるまで本ステップを繰り返す。
【００９８】
ステップＳ１２３では、制御部１８が、ステップＳ１１９で非表示とした変更操作子を表示画面２０に表示させ、ステップＳ１３５に移行する。本実施形態では、一例として図８に示すように、表示画面２０にスライダーバー３０を表示させる。スライダーバー３０を表示させる位置は、例えば、スライダーバー３０を非表示とする前にスライダーバー３０が表示されていた位置である。又は、スライダーバー３０の少なくとも一部が表示対象物２２上に表示されるようにスライダーバー３０を表示させても良い。
【００９９】
一方、ステップＳ１２５では、第１変更部１４が、受け付けられた操作入力に応じて表示対象物２２が拡大された場合の表示対象物２２の表示比率を取得する。本実施形態では、スライダーバー３０のつまみ３０Ａの移動量に応じた表示対象物２２の表示比率を取得する。
【０１００】
ステップＳ１２７では、第２変更部１６が、表示対象物の縮小制御情報３４に基づいて、表示対象物２２の表示比率に対応する第１領域２４の大きさを取得する。例えば、表示対象物２２の表示比率が１２０％であった場合には、第１領域２４の大きさを拡大前の元の大きさとする。また、表示対象物２２の表示比率が１６０％であった場合には、第１領域２４の大きさを表示対象物２２の表示比率に応じて変更する。また、表示対象物２２の表示比率が１９０％であった場合には、第１領域２４の大きさを表示画面２０の全体の大きさとする。
【０１０１】
ステップＳ１２９では、第２変更部１６が、第１領域２４がステップＳ１２７で取得した大きさとなると共に、表示対象物２２が、ステップＳ１２５で取得した表示比率で表示されるように、表示対象物２２の表示を更新する。
【０１０２】
ステップＳ１３１では、制御部１８が、受け付けられた操作入力が終了したか否かを判定する。本実施形態では、表示画面２０におけるスライダーバー３０に対応する領域への接触が解除された場合に、受け付けられた操作入力が終了したと判定する。ステップＳ１３１で操作入力が終了したと判定した場合（Ｓ１３１，Ｙ）はステップＳ１３５に移行する。また、ステップＳ１３１で操作入力が終了していないと判定した場合（Ｓ１３１，Ｎ）はステップＳ１０７に移行する。
【０１０３】
このように、ステップＳ１０７乃至Ｓ１３１の処理を、操作入力が終了するまで継続することにより、表示対象物２２の表示比率の変更操作がされている間、変更操作に応じて表示対象物２２の表示比率が変更される。これにより、ユーザによって表示対象物２２の表示比率がリアルタイムに確認される。
【０１０４】
一方、ステップＳ１３３では、受付部１２が、操作入力に応じた処理を実行し、ステップＳ１３５に移行する。例えば、受付部１２は、編集操作子に対する操作入力を受け付けた場合には、操作入力が受け付けられた編集操作子に応じて、表示対象物２２に対する編集処理を行う。
【０１０５】
ステップＳ１３５では、受付部１２が、表示対象物２２の表示を終了する指示を入力したか否かを判定する。本実施形態では、表示対象物２２の表示を終了する指示を、ハードウェアキーを用いた予め定めた操作入力とする場合について説明するが、これに限らない。表示対象物２２の表示を終了する指示としては、例えば、表示画面２０の任意の位置を２回接触する、表示画面２０の任意の位置の接触を閾値（例えば、３秒）以上の間、継続する、表示画面２０上において予め定めた形状（例えば、円形、三角形等）を描く、等が挙げられる。
【０１０６】
ステップＳ１３５で表示対象物２２の表示を終了する指示を入力していないと判定した場合（Ｓ１３５，Ｎ）はステップＳ１０３に移行する。また、ステップＳ１３５で表示対象物２２の表示を終了する指示を入力したと判定した場合（Ｓ１３５，Ｙ）は、本表示制御処理のプログラムの実行を終了する。
【０１０７】
このように、本実施形態では、表示対象物２２が表示される第１領域２４、及び表示対象物２２を編集するための編集操作子が表示される第２領域２６を表示する表示画面２０に表示された表示対象物２２の表示比率を変更する変更操作を受け付ける。また、変更操作が受け付けられた場合、変更操作に応じて表示対象物２２の表示比率を変更すると共に、変更操作に応じて第１領域２４の大きさを変更する。
【０１０８】
これにより、例えば、表示対象物２２内の一部の領域を拡大させて表示させた場合に、当該一部の領域が表示されている領域が大きくなる。そのため、例えば、当該一部の領域内の１点から他の点へとスクロールさせる場合のスクロール距離が長くなり、ステップ数が低減される。
【０１０９】
なお、本実施形態では、ステップＳ１１７において、更新された表示対象物２２の表示比率が予め定めた閾値以上であるか否かを判定する場合について説明したが、これに限らない。例えば、表示対象物２２が拡大された状態において、受付部１２が、変更操作子を非表示とするための指示を受け付けるようにし、当該指示が受け付けられた場合には、制御部１８が、表示画面２０に表示されている変更操作子を非表示としても良い。
【０１１０】
また、本実施形態では、変更操作子としてスライダーバー３０を用いる場合について説明したが、これに限らず、変更操作子としてプラスボタン及びマイナスボタン等を用いても良い。
【０１１１】
〔第２実施形態〕
【０１１２】
次に、第２実施形態に係る表示制御装置について説明する。
【０１１３】
上記第１実施形態では、第１領域２４を拡大させた際に第１領域２４を編集操作子に重ねて表示させる場合について説明した。一方、本第２実施形態では、第１領域２４を拡大させた際に編集操作子を非表示とする場合について説明する。
【０１１４】
第２実施形態に係る表示制御装置の構成は、上記第１実施形態に係る表示制御装置１０と同じであるため、各構成の説明を省略する。
【０１１５】
なお、本実施形態では、表示制御装置１０が、表示画面２０としてタッチパネル式のディスプレイを有している場合について説明する。また、本実施形態では、変更操作子の表示画面２０上での表示を行わずに、ユーザが表示画面２０上での接触位置を移動させる操作により、表示対象物２２の表示比率の変更の指示が入力される場合について説明する。
【０１１６】
表示対象物２２の表示比率の変更の指示としては、例えば、所謂ピンチアウト及びピンチインが挙げられる。ピンチアウトとは、表示画面２０上の任意の第１位置における第１接触、及び表示画面２０上の上記第１位置とは異なる第２位置における第２接触が継続した状態で、第１接触及び第２接触の少なくとも一方の位置を移動させることにより相互間の距離を遠ざける操作である。また、ピンチインとは、表示画面２０上の任意の第１位置における第１接触、及び表示画面２０上の上記第１位置とは異なる第２位置における第２接触が継続した状態で、第１接触及び第２接触の少なくとも一方の位置を移動させることにより相互間の距離を近付ける操作である。
【０１１７】
しかし、表示対象物２２の表示比率の変更の指示はこれに限らず、例えば、表示画面２０上の任意の位置における接触が継続した状態で、接触の位置を上下に移動させる操作であっても良い。この場合には、例えば、接触の位置を上に移動させる操作を、表示比率を高くする指示とし、接触の位置を下に移動させる操作を、表示比率を低くする指示とすると良い。
【０１１８】
あるいは、表示画面２０の角部における接触が継続した状態で、接触の位置を外周側又は内部側に移動させる操作であっても良い。この場合には、例えば、接触の位置を外周側に移動させる操作を、表示比率を高くする指示とし、接触の位置を内部側に移動させる操作を、表示比率を低くする指示とすると良い。
【０１１９】
また、制御部１８は、第２変更部１６により第１領域２４が拡大され、表示対象物２２の表示比率が予め定めた条件を満たした場合、拡大が終了した際に第２領域２６が非表示となるように制御する。なお、予め定めた条件は、例えば、表示対象物２２の表示比率が予め定めた閾値（例えば、１８０％）以上となること、第１領域２４が表示画面２０の全体の大きさになること等である。
【０１２０】
次に、本実施形態に係る表示制御装置１０が、予め定めた実行指示が入力された場合に実行する表示制御処理の流れを、図９のフローチャートを参照して説明する。なお、本実施形態では、表示制御処理のプログラムは予め記憶部に記憶されているが、これに限らない。例えば、表示制御処理のプログラムが通信回線Ｉ／Ｆ部を介して外部装置から受信されて記憶部に記憶されても良い。また、ＣＤ−ＲＯＭ等の記録媒体に記録された表示制御処理のプログラムがＣＤ−ＲＯＭドライブ等で読み込まれることにより、表示制御処理が実行されるようにしてもよい。
【０１２１】
また、図９のフローチャートにおいて、図５のフローチャートと同じ処理を行うステップには同じ符号を付し、重複する説明を省略する。
【０１２２】
ステップＳ１０１では、受付部１２が、表示対象物２２を表示画面２０に表示させる。本実施形態では、一例として図１０に示すように、第１領域２４に表示対象物２２を表示させると共に、第２領域２４に編集操作子として編集ボタン２８を表示させる。
【０１２３】
ステップＳ１０３では、受付部１２が、表示対象物２２への何れかの操作入力が受け付けられたか否かを判定する。本実施形態では、表示画面２０への接触が開始された場合に、表示対象物２２への何れかの操作入力が受け付けられたと判定する。ステップＳ１０３で操作入力が受け付けられたと判定した場合（Ｓ１０３，Ｙ）はステップＳ２０１に移行する。また、ステップＳ１０３で操作入力が受け付けられていないと判定した場合（Ｓ１０３，Ｎ）はステップＳ１３５に移行する。
【０１２４】
ステップＳ２０１では、受付部１２が、受け付けられた操作入力が、表示対象物２２の表示比率の変更の操作入力であるか否かを判定する。本実施形態では、上述したように、表示対象物２２の表示比率の変更の指示を、上述したピンチアウト及びピンチインとしている。そのため、表示画面２０上の２箇所の位置で接触があった場合に、受け付けられた操作入力が、表示対象物２２の表示比率の変更の操作入力に対する操作入力であると判定する。ステップＳ２０１で、受け付けられた操作入力が変更操作子に対する操作入力であると判定した場合（Ｓ２０１，Ｙ）はステップＳ１０７に移行する。また、ステップＳ２０１で受け付けられた操作入力が変更操作子に対する操作入力ではないと判定した場合（Ｓ２０１，Ｎ）はステップＳ１３３に移行する。
【０１２５】
ステップＳ１０７では、受付部１２が、受け付けられた操作入力が拡大操作であるか否かを判定する。本実施形態では、２箇所の接触位置の相互間の距離が遠ざかった場合、受け付けられた操作入力が表示対象物２２の拡大操作であると判定する。ステップＳ１０７で受け付けられた操作入力が表示対象物２２の拡大操作であると判定した場合（Ｓ１０７，Ｙ）はステップＳ１０９に移行する。また、ステップＳ１０７で受け付けられた操作入力が縮小操作であると判定した場合（Ｓ１０７，Ｎ）はステップＳ１２５に移行する。
【０１２６】
ステップＳ１０９では、第１変更部１４が、受け付けられた操作入力に応じて表示対象物２２が拡大された場合の表示対象物２２の表示比率を取得する。本実施形態では、表示対象物２２の表示比率の変化量が、２箇所の接触位置の相互間の距離の変化量に応じた変化量となるように、拡大された場合の表示対象物２２の表示比率を取得する。本実施形態では、２箇所の接触位置の相互間の距離の変化量が大きい程、表示対象物２２の表示比率の変化量が大きくなるような表示対象物２２の表示比率を取得するが、これに限らない。例えば、２箇所の接触位置の相互間の距離の変化量に関係なく、表示対象物２２の表示比率の変化量が予め定めた固定値となるように、表示対象物２２の表示比率を取得しても良い。
【０１２７】
ステップＳ１１１では、第１実施形態のステップＳ１１１と同様の処理を行い、ステップＳ２０３に移行する。
【０１２８】
ステップＳ２０３では、制御部１８が、更新された表示対象物２２の表示比率が予め定めた閾値（例えば、１８０％）以上であるか否かを判定する。ステップＳ２０３で表示対象物２２の表示比率が予め定めた閾値以上であると判定された場合（Ｓ２０３，Ｙ）はステップＳ２０５に移行する。また、ステップＳ２０３で表示対象物２２の表示比率が予め定めた閾値未満であると判定された場合（Ｓ２０３，Ｎ）はステップＳ１３５に移行する。
【０１２９】
なお、本実施形態では、ステップＳ２０３で、更新された表示対象物２２の表示比率が予め定めた閾値以上であるか否かの判定を行うが、これに限らない。例えば、第１領域２４の大きさが表示画面２０の全体の大きさであるか否かの判定、第１領域２４の大きさが閾値以上であるか否かの判定等を行っても良い。あるいは、ステップＳ２０３の処理を行わずに、表示対象物２２を拡大する場合には、必ずステップＳ２０５の処理を行うようにしても良い。
【０１３０】
又は、ステップＳ２０３で、第２領域２６を非表示とするための指示が受け付けられたか否かを判定しても良い。この場合には、例えば予め定めた期間（例えば、２秒）以内に第２領域２６を非表示とするための指示が受け付けられた場合には、当該ステップで肯定判定となり、受け付けられなかった場合には、当該ステップで否定判定となると良い。
【０１３１】
ステップＳ２０５では、制御部１８が、表示画面２０に表示されている第２領域２６（編集操作子）を非表示とし、ステップＳ１１３に移行する。本実施形態では、一例として図１１に示すように、表示画面２０に表示されている編集ボタン２８を非表示とする。
【０１３２】
また、本実施形態では、表示対象物２２の表示比率を変更する際の基準点を、２箇所の接触位置の中点とする。しかし、表示対象物２２の表示比率を変更する際の基準点はこれに限らず、当該基準点を示す情報を予め記憶部に記憶させておいても良い。
【０１３３】
ステップＳ１１３では、図５の第１実施形態のステップＳ１１３と同様の処理を行う。
【０１３４】
ステップＳ１１５では、制御部１８が、受け付けられた操作入力が終了したか否かを判定する。本実施形態では、表示画面２０上での接触が解除された場合に、受け付けられた操作入力が終了したと判定する。ステップＳ１１５で操作入力が終了したと判定した場合（Ｓ１１５，Ｙ）はステップＳ１３５に移行する。また、ステップＳ１１５で操作入力が終了していないと判定した場合（Ｓ１１５，Ｎ）はステップＳ１０７に移行する。
【０１３５】
一方、ステップＳ１２５では、第１変更部１４が、受け付けられた操作入力に応じて表示対象物２２が拡大された場合の表示対象物２２の表示比率を取得する。本実施形態では、表示対象物２２の表示比率の変化量が、２箇所の接触位置の相互間の距離の変化量に応じた変化量となるように、縮小された場合の表示対象物２２の表示比率を取得する。本実施形態では、２箇所の接触位置の相互間の距離の変化量が大きい程、表示対象物２２の表示比率の変化量が大きくなるような表示対象物２２の表示比率を取得するが、これに限らない。例えば、２箇所の接触位置の相互間の距離の変化量に関係なく、表示対象物２２の表示比率の変化量が予め定めた固定値となるように、表示対象物２２の表示比率を取得しても良い。
【０１３６】
ステップＳ１２７では、図５の第１実施形態のステップＳ１２７と同様の処理を行い、ステップＳ２０７に移行する。
【０１３７】
ステップＳ２０７では、制御部１８が、更新された表示対象物２２の表示比率が予め定めた閾値（例えば、１５０％）未満であるか否かを判定する。ステップＳ２０７で表示対象物２２の表示比率が予め定めた閾値未満であると判定された場合（Ｓ２０７，Ｙ）はステップＳ２０９に移行する。また、ステップＳ２０７で表示対象物２２の表示比率が予め定めた閾値以上であると判定された場合（Ｓ２０７，Ｎ）はステップＳ１２９に移行する。
【０１３８】
なお、本実施形態では、ステップＳ２０７で、更新された表示対象物２２の表示比率が予め定めた閾値未満であるか否かの判定を行うが、これに限らない。例えば、第１領域２４の大きさが表示画面２０の元の大きさであるか否かの判定、第１領域２４の大きさが閾値未満であるか否かの判定等を行っても良い。あるいは、ステップＳ２０７の処理を行わずに、表示対象物２２を縮小する場合には、必ずステップＳ２０９の処理を行うようにしても良い。
【０１３９】
又は、ステップＳ２０７で、第２領域２６を表示するための指示が受け付けられたか否かを判定しても良い。この場合には、例えば予め定めた期間（例えば、２秒）以内に第２領域２６を表示するための指示が受け付けられた場合には、当該ステップで肯定判定となり、受け付けられなかった場合には、当該ステップで否定判定となると良い。
【０１４０】
ステップＳ２０９では、制御部１８が、第２領域２６（編集操作子）を表示画面２０に表示し、ステップＳ１２９に移行する。本実施形態では、一例として図１０に示すように、編集ボタン２８を表示画面２０に表示させる。本実施形態では、第２領域２６を、変更操作が行われる前の状態における第２領域２６の位置に表示させるが、これに限らない。例えば、表示画面２０の形状、表示対象物２２の形状等に応じて、第２領域２６を表示させる位置、及び第２領域２６における各編集操作子の位置を調整しても良い。具体的には、表示画面２０が縦長の形状であった場合には、第２領域２６を表示画面２０の上側又は下側に表示させ、表示画面２０が横長の形状であった場合には、第２領域２６を表示画面２０の右側あるいは左側に表示させると良い。または、ユーザにより、表示対象物２２の表示比率を変更する際の基準点の近辺が視認される可能性が最も高いことを考慮し、当該基準点から最も離れた領域に、第２領域２６を表示させても良い。
【０１４１】
ステップＳ１２９では、図５の第１実施形態のステップＳ１２９と同様の処理を行う。
【０１４２】
ステップＳ１３１では、制御部１８が、受け付けられた操作入力が終了したか否かを判定する。本実施形態では、表示画面２０上での接触が解除された場合に、受け付けられた操作入力が終了したと判定する。ステップＳ１３１で操作入力が終了したと判定した場合（Ｓ１３１，Ｙ）はステップＳ１３５に移行する。また、ステップＳ１３１で操作入力が終了していないと判定した場合（Ｓ１３１，Ｎ）はステップＳ１０７に移行する。
【０１４３】
一方、ステップＳ１３３では、受付部１２が、操作入力に応じた処理を実行し、ステップＳ１３５に移行する。例えば、受付部１２は、編集操作子に対する操作入力を受け付けた場合には、操作入力が受け付けられた編集操作子に応じて、表示対象物２２に対する編集処理を行う。
【０１４４】
ステップＳ１３５では、図５の第１実施形態のステップＳ１３５と同様の処理を行う。
【０１４５】
このように、本実施形態では、表示対象物２２の表示比率を変更する変更操作が受け付けられた場合、表示対象物２２を編集するための編集操作子が表示される第２領域２６が表示されていた領域に、第１領域２４が表示される。
【０１４６】
なお、本実施形態では、ステップＳ２０３において、更新された表示対象物２２の表示比率が予め定めた閾値以上であるか否かを判定する場合について説明したが、これに限らない。例えば、第２領域２６が表示された状態において、受付部１２が、第２領域２６を非表示とするための指示を受け付けるようにし、当該指示が受け付けられた場合には、制御部１８が、第２領域２６を非表示としても良い。
【０１４７】
また、本実施形態では、ステップＳ２０７において、更新された表示対象物２２の表示比率が予め定めた閾値未満であるか否かを判定する場合について説明したが、これに限らない。例えば、第２領域２６が非表示とされた状態において、受付部１２が、第２領域２６を表示するための指示を受け付けるようにし、当該指示が受け付けられた場合には、制御部１８が、第２領域２６を表示させても良い。
【０１４８】
また、本実施形態では、変更操作子を用いずに、変更操作としてピンチアウト及びピンチインを用いる場合について説明したが、これに限らず、変更操作子としてスライダーバー３０、プラスボタン及びマイナスボタン等を用いても良い。
【０１４９】
〔第３実施形態〕
【０１５０】
次に、第３実施形態に係る表示制御装置について説明する。
【０１５１】
上記第１実施形態及び第２実施形態では、第１領域２４を拡大させた際に拡大制御情報３２及び縮小制御情報３４を用いて第１領域２４の大きさを取得する場合について説明した。一方、本第３実施形態では、表示対象物２２の表示比率に基づいて第１領域２４の大きさを算出する場合について説明する。
【０１５２】
第３実施形態に係る表示制御装置の構成は、上記第１実施形態及び上記第２実施形態に係る表示制御装置１０と同じであるため、各構成の説明を省略する。
【０１５３】
なお、本実施形態では、表示制御装置１０が、表示画面２０としてタッチパネル式のディスプレイを有している場合について説明する。また、本実施形態では、変更操作子としてプラスボタン及びマイナスボタンが用いられる場合について説明する。
【０１５４】
次に、本実施形態に係る表示制御装置１０が、予め定めた実行指示が入力された場合に実行する表示制御処理の流れを、図１２のフローチャートを参照して説明する。なお、本実施形態では、表示制御処理のプログラムは予め記憶部に記憶されているが、これに限らない。例えば、表示制御処理のプログラムが通信回線Ｉ／Ｆ部を介して外部装置から受信されて記憶部に記憶されても良い。また、ＣＤ−ＲＯＭ等の記録媒体に記録された表示制御処理のプログラムがＣＤ−ＲＯＭドライブ等で読み込まれることにより、表示制御処理が実行されるようにしてもよい。
【０１５５】
また、図１２のフローチャートにおいて、図５、９のフローチャートと同じ処理を行うステップには同じ符号を付し、重複する説明を省略する。
【０１５６】
ステップＳ１０１では、受付部１２が、表示対象物２２を表示画面２０に表示させる。一例として図１３に示すように、第１領域２４に表示対象物２２を表示させると共に、第２領域２４に編集操作子として編集ボタン２８を表示させる。また、表示画面２０に変更操作子としてプラスボタン３６及びマイナスボタン３８を表示させる。
【０１５７】
ステップＳ１０３では、図５の第１実施形態のステップＳ１０３と同様の処理を行う。
【０１５８】
ステップＳ１０５では、受付部１２が、受け付けられた操作入力が、変更操作子に対する操作入力であるか否かを判定する。本実施形態では、受け付けられた操作入力が、表示画面２０におけるプラスボタン３６又はマイナスボタン３８に対応する領域への接触であった場合に、受け付けられた操作入力が変更操作に対する操作入力であると判定する。ステップＳ１０５で、受け付けられた操作入力が変更操作子に対する操作入力であると判定した場合（Ｓ１０５，Ｙ）はステップＳ１０７に移行する。また、ステップＳ１０５で受け付けられた操作入力が変更操作子に対する操作入力ではないと判定した場合（Ｓ１０５，Ｎ）はステップＳ１３３に移行する。
【０１５９】
ステップＳ１０７では、受け付けられた操作入力が表示対象物２２の拡大操作であるか否かを判定する。本実施形態では、受け付けられた操作入力がプラスボタン３６に対する操作入力であった場合に、受け付けられた操作入力が表示対象物２２の拡大操作であると判定する。また、受け付けられた操作入力がマイナスボタン３８に対する操作入力であった場合に、受け付けられた操作入力が表示対象物２２の縮小操作であると判定する。ステップＳ１０７で受け付けられた操作入力が表示対象物２２の拡大操作であると判定した場合（Ｓ１０７，Ｙ）はステップＳ１０９に移行する。また、ステップＳ１０７で受け付けられた操作入力が表示対象物２２の縮小操作であると判定した場合（Ｓ１０７，Ｎ）はステップＳ１２５に移行する。
【０１６０】
ステップＳ１０９では、第１変更部１４が、受け付けられた操作入力に応じて表示対象物２２が拡大された場合の表示対象物２２の表示比率を取得し、ステップＳ３０１に移行する。本実施形態では、プラスボタン３６に対する操作の継続時間と、表示対象物の表示比率の変化量との関係を表す数式を用いて、プラスボタン３６に対する操作の継続時間に応じた表示対象物２２の表示比率を取得する。
【０１６１】
ステップＳ３０１では、第２変更部１６が、ステップＳ１０９で取得した表示対象物の表示比率に基づいて、第１領域２４の大きさを算出し、ステップＳ１１３に移行する。本実施形態では、表示対象物の表示比率と、第１領域２４の大きさとの拡大操作における関係を表す数式を用いて、第１領域２４の大きさを算出する。また、表示対象物の表示比率と、第１領域２４の大きさとの関係を表す数式としては、例えば、表示対象物の表示比率が高くなる程、第１領域２４の大きさが大きくなるような比例式が挙げられる。
【０１６２】
ステップＳ１１３では、図５の第１実施形態のステップＳ１１３と同様の処理を行う。
【０１６３】
ステップＳ１１５では、制御部１８が、受け付けられた操作入力が終了したか否かを判定する。本実施形態では、表示画面２０におけるプラスボタン３６に対応する領域への接触が解除された場合に、受け付けられた操作入力が終了したと判定する。ステップＳ１１５で操作入力が終了したと判定した場合（Ｓ１１５，Ｙ）はステップＳ１３５に移行する。また、ステップＳ１１５で操作入力が終了していないと判定した場合（Ｓ１１５，Ｎ）はステップＳ１０７に移行する。
【０１６４】
一方、ステップＳ１２５では、第１変更部１４が、受け付けられた操作入力に応じて表示対象物２２が拡大された場合の表示対象物２２の表示比率を取得し、ステップＳ３０２に移行する。本実施形態では、マイナスボタン３８に対する操作の継続時間と、表示対象物の表示比率の変化量との関係を表す数式を用いて、マイナスボタン３８に対する操作の継続時間に応じた表示対象物２２の表示比率を取得する。
【０１６５】
ステップＳ３０２では、第２変更部１６が、ステップＳ１２５で取得した表示対象物の表示比率に基づいて、第１領域２４の大きさを算出し、ステップＳ１２９に移行する。本実施形態では、表示対象物の表示比率と、第１領域２４の大きさとの縮小操作における関係を表す数式を用いて、第１領域２４の大きさを算出する。また、表示対象物の表示比率と、第１領域２４の大きさとの関係を表す数式としては、例えば、表示対象物の表示比率が低くなる程、第１領域２４の大きさが小さくなるような比例式が挙げられる。
【０１６６】
ステップＳ１２９では、図５の第１実施形態のステップＳ１２９と同様の処理を行う。
【０１６７】
ステップＳ１３１では、制御部１８が、受け付けられた操作入力が終了したか否かを判定する。本実施形態では、表示画面２０におけるマイナスボタン３８に対応する領域への接触が解除された場合に、受け付けられた操作入力が終了したと判定する。ステップＳ１３１で操作入力が終了したと判定した場合（Ｓ１３１，Ｙ）はステップＳ１３５に移行する。また、ステップＳ１３１で操作入力が終了していないと判定した場合（Ｓ１３１，Ｎ）はステップＳ１０７に移行する。
【０１６８】
一方、ステップＳ１３３では、図５の第１実施形態のステップＳ１３３と同様の処理を行い、ステップＳ１３５に移行する。
【０１６９】
ステップＳ１３５では、図５の第１実施形態のステップＳ１３５と同様の処理を行う。
【０１７０】
このように、本実施形態では、表示画面２０に表示された表示対象物２２の表示比率が大きくなる程、第１領域２４の大きさが大きくなるように、表示対象物２２の表示比率を変更する変更操作に応じて表示対象物２２の表示比率を変更する。
【０１７１】
なお、本実施形態では、変更操作子としてプラスボタン３６及びマイナスボタン３８を用いる場合について説明したが、これに限らず、変更操作子としてスライダーバー３０等を用いても良く、変更操作としてピンチアウト及びピンチイン等を用いても良い。
【０１７２】
〔第４実施形態〕
【０１７３】
次に、第４実施形態に係る表示制御装置について説明する。
【０１７４】
上記第１実施形態乃至上記第３実施形態では、表示対象物の表示比率を変更する操作入力に基づいて、表示対象物２２の表示比率を変更する場合について説明した。一方、本第４実施形態では、表示対象物２２を元の状態に戻す指示を受け付けた場合には、表示対象物２２が元の状態となるように表示対象物２２を更新する場合について説明する。
【０１７５】
第４実施形態に係る表示制御装置の構成は、上記第１実施形態乃至上記第３実施形態に係る表示制御装置１０と同じであるため、各構成の説明を省略する。
【０１７６】
なお、本実施形態では、表示制御装置１０が、表示画面２０としてタッチパネル式のディスプレイを有している場合について説明する。また、本実施形態では、変更操作子の表示画面２０上での表示を行わずに、ユーザが表示画面２０上での接触位置を移動させる操作により、表示対象物２２の表示比率の変更の指示が入力される場合について説明する。表示対象物２２の表示比率の変更の指示としては、例えば、上述したピンチアウト及びピンチインが挙げられる。
【０１７７】
次に、本実施形態に係る表示制御装置１０が、予め定めた実行指示が入力された場合に実行する表示制御処理の流れを、図１４のフローチャートを参照して説明する。なお、本実施形態では、表示制御処理のプログラムは予め記憶部に記憶されているが、これに限らない。例えば、表示制御処理のプログラムが通信回線Ｉ／Ｆ部を介して外部装置から受信されて記憶部に記憶されても良い。また、ＣＤ−ＲＯＭ等の記録媒体に記録された表示制御処理のプログラムがＣＤ−ＲＯＭドライブ等で読み込まれることにより、表示制御処理が実行されるようにしてもよい。
【０１７８】
また、図１４のフローチャートにおいて、図５、９、１２のフローチャートと同じ処理を行うステップには同じ符号を付し、重複する説明を省略する。
【０１７９】
ステップＳ１０１では、図９の第２実施形態のステップＳ１０１と同様の処理を行う。
【０１８０】
ステップＳ１０３では、受付部１２が、表示対象物２２への何れかの操作入力が受け付けられたか否かを判定する。本実施形態では、表示画面２０への接触が開始された場合に、表示対象物２２への何れかの操作入力が受け付けられたと判定する。ステップＳ１０３で操作入力が受け付けられたと判定した場合（Ｓ１０３，Ｙ）はステップＳ４０１に移行する。また、ステップＳ１０３で操作入力が受け付けられていないと判定した場合（Ｓ１０３，Ｎ）はステップＳ１３５に移行する。
【０１８１】
ステップＳ４０１では、受付部１２が、受け付けられた操作入力が、表示対象物２２を元の状態に戻す操作入力であるか否かを判定する。本実施形態では、予め定め時間（例えば、２秒）内に表示画面２０上において２回の接触があった場合に、受け付けられた操作入力が、表示対象物２２を元の状態に戻す操作入力であると判定する。ステップＳ２０１で、受け付けられた操作入力が表示対象物２２を元の状態に戻す操作入力であると判定した場合（Ｓ４０１，Ｙ）はステップＳ４０３に移行する。また、ステップＳ４０１で受け付けられた操作入力が表示対象物２２を元の状態に戻す操作入力ではないと判定した場合（Ｓ４０１，Ｎ）はステップＳ２０１に移行する。
【０１８２】
ステップＳ４０３では、表示画面２０に表示されている表示対象物２２が元の状態となるように、表示対象物２２を更新して、ステップＳ１０３に移行する。
【０１８３】
ステップＳ２０１乃至Ｓ１１１では、図９の第２実施形態のステップＳ２０１乃至Ｓ１１１と同様の処理を行い、ステップＳ１１３に移行する。
【０１８４】
ステップＳ１１３及びステップＳ１１５では、図９の第２実施形態のステップＳ１１３及びＳ１１５と同様の処理を行う。
【０１８５】
一方、ステップＳ１２５及びＳ１２７では、図９の第２実施形態のステップＳ１１５及びＳ１２７と同様の処理を行い、Ｓ１２９に移行する。
【０１８６】
ステップＳ１２９乃至Ｓ１３５では、図９の第２実施形態のステップＳ１２９乃至Ｓ１３５と同様の処理を行う。
【０１８７】
このように、本実施形態では、拡大された表示対象物２２の表示比率を元の状態に戻すための指示を受け付け、当該元の状態に戻すための指示が受け付けられた場合、表示対象物２２の表示比率を元の状態に戻すと共に、第１領域２４の大きさを元の状態に戻す。
【０１８８】
なお、本実施形態では、変更操作子を用いずに、変更操作としてピンチアウト及びピンチインを用いる場合について説明したが、これに限らず、変更操作子としてスライダーバー３０、プラスボタン３６及びマイナスボタン３８等を用いても良い。
【０１８９】
〔第５実施形態〕
【０１９０】
次に、第５実施形態に係る表示制御装置について説明する。
【０１９１】
上記第１実施形態乃至上記第４実施形態では、表示対象物の表示比率を変更する操作入力が行われている間、表示対象物２２の表示比率を変更する場合について説明した。一方、本第５実施形態では、表示対象物２２の表示比率を変更する操作入力が終了したタイミングで、表示対象物２２の表示比率を変更する場合について説明する。
【０１９２】
第５実施形態に係る表示制御装置の構成は、上記第１実施形態乃至上記第４実施形態に係る表示制御装置１０と同じであるため、各構成の説明を省略する。
【０１９３】
なお、本実施形態では、表示制御装置１０が、表示画面２０としてタッチパネル式のディスプレイを有している場合について説明する。また、本実施形態では、変更操作子としてプラスボタン及びマイナスボタンが用いられる場合について説明する。
【０１９４】
次に、本実施形態に係る表示制御装置１０が、予め定めた実行指示が入力された場合に実行する表示制御処理の流れを、図１５のフローチャートを参照して説明する。なお、本実施形態では、表示制御処理のプログラムは予め記憶部に記憶されているが、これに限らない。例えば、表示制御処理のプログラムが通信回線Ｉ／Ｆ部を介して外部装置から受信されて記憶部に記憶されても良い。また、ＣＤ−ＲＯＭ等の記録媒体に記録された表示制御処理のプログラムがＣＤ−ＲＯＭドライブ等で読み込まれることにより、表示制御処理が実行されるようにしてもよい。
【０１９５】
また、図１５のフローチャートにおいて、図５、９、１２、１４のフローチャートと同じ処理を行うステップには同じ符号を付し、重複する説明を省略する。
【０１９６】
ステップＳ１０１乃至Ｓ１０５では、図１２の第３実施形態のステップＳ１０１乃至Ｓ１０５と同様の処理を行う。
【０１９７】
ステップＳ１０７では、受け付けられた操作入力が表示対象物２２の拡大操作であるか否かを判定する。ステップＳ１０７で受け付けられた操作入力が表示対象物２２の拡大操作であると判定した場合（Ｓ１０７，Ｙ）はステップＳ５０１に移行する。また、ステップＳ１０７で受け付けられた操作入力が表示対象物２２の縮小操作であると判定した場合（Ｓ１０７，Ｎ）はステップＳ５０３に移行する。
【０１９８】
ステップＳ５０１では、受け付けられた拡大操作が終了したか否かを判定する。本実施形態では、表示画面２０におけるプラスボタン３６に対応する領域への接触が解除された場合に、受け付けられた操作入力が終了したと判定する。ステップＳ５０１で受け付けられた拡大操作が終了したと判定した場合（Ｓ５０１，Ｙ）はステップＳ１０９に移行する。また、ステップＳ５０１で受け付けられた拡大操作が終了していないと判定した場合（Ｓ５０１，Ｎ）は、受け付けられた拡大操作が終了したと判定されるまで、本ステップを繰り返す。
【０１９９】
ステップＳ１０９乃至Ｓ１１３では、図１２の第３実施形態のステップＳ１０９乃至Ｓ１１３と同様の処理を行い、ステップＳ１３５に移行する。
【０２００】
一方、ステップＳ５０３では、受け付けられた縮小操作が終了したか否かを判定する。本実施形態では、表示画面２０におけるマイナスボタン３８に対応する領域への接触が解除された場合に、受け付けられた操作入力が終了したと判定する。ステップＳ５０３で受け付けられた縮小操作が終了したと判定した場合（Ｓ５０３，Ｙ）はステップＳ１２５に移行する。また、ステップＳ５０３で受け付けられた縮小操作が終了していないと判定した場合（Ｓ５０３，Ｎ）は、受け付けられた縮小操作が終了したと判定されるまで、本ステップを繰り返す。
【０２０１】
ステップＳ１２５乃至Ｓ１２９では、図１２の第３実施形態のステップＳ１２５乃至Ｓ１２９と同様の処理を行い、ステップＳ１３５に移行する。
【０２０２】
一方、ステップＳ１３３及びＳ１３５では、図１２の第３実施形態のステップＳ１３３及びＳ１３５と同様の処理を行う。
【０２０３】
このように、本実施形態では、変更操作の入力が終了されたタイミングで、変更操作に応じて表示対象物２２の表示比率を変更すると共に、変更操作に応じて第１領域２４の大きさを変更する。
【０２０４】
なお、本実施形態では、変更操作子としてプラスボタン３６及びマイナスボタン３８を用いる場合について説明したが、これに限らず、変更操作子としてスライダーバー３０等を用いても良く、変更操作としてピンチアウト及びピンチイン等を用いても良い。
【０２０５】
また、上記各実施形態の各々を単独で実施しても良く、上記各実施形態の少なくとも２つ以上を組み合わせて実施しても良い。
【０２０６】
また、上記各実施形態で説明した表示制御装置１０、１２の構成（図１参照。）は一例である。すなわち、本発明の主旨を逸脱しない範囲内において不要な部分を削除したり、新たな部分を追加したりしてもよいことは言うまでもない。
【０２０７】
また、上記各実施形態で説明した各種プログラムの処理の流れ（図５、図９、図１２、図１４、図１５参照。）も一例である。すなわち、本発明の主旨を逸脱しない範囲内において不要なステップを削除したり、新たなステップを追加したり、処理順序を入れ替えたりしてもよいことは言うまでもない。
【符号の説明】
【０２０８】
１０    表示制御装置
１２    受付部
１４    第１変更部
１６    第２変更部
１８    制御部
【図１】
2019040519.tif 000003
【図２】
2019040519.tif 000004
【図３】
2019040519.tif 000005
【図４】
2019040519.tif 000006
【図５】
2019040519.tif 000007
【図６】
2019040519.tif 000008
【図７】
2019040519.tif 000009
【図８】
2019040519.tif 000010
【図９】
2019040519.tif 000011
【図１０】
2019040519.tif 000012
【図１１】
2019040519.tif 000013
【図１２】
2019040519.tif 000014
【図１３】
2019040519.tif 000015
【図１４】
2019040519.tif 000016
【図１５】
2019040519.tif 000017